【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
複数種類のインクを吐出するインク吐出手段と、
印刷処理に関する特定値を計測する計測手段と、
前記インク吐出手段が吐出するインクの量に基づいて、所定の条件を満たした場合にカウント値を算出するカウンタと、
前記カウント値より課金処理を行う課金処理手段とを有する画像形成装置において、
前記インク吐出手段が吐出するインクのうち特定したインクの色である特定色があって、
前記条件は、印刷処理において使用される前記特定色以外の色に係るインクの各々の量が所定範囲の量の範囲内にあることであり、
前記課金処理手段は前記特定色による印刷処理に応じた課金処理を行うことを特徴とする画像形成装置。
【請求項２】
複数種類のインクを吐出するインク吐出手段と、
印刷処理に関する特定値を計測する計測手段と、
前記インク吐出手段が吐出するインクの量に基づいて、所定の条件を満たした場合にカウント値を算出するカウンタと、
前記カウント値より課金処理を行う課金処理手段とを備えた画像形成装置において、
前記インク吐出手段が吐出するインクのうち特定したインクの色である特定色があって、
前記条件は、印刷処理において使用される前記特定色以外の色に係るインクの総量が所定範囲の量の範囲内にあることであり、
前記課金処理手段は前記特定色による印刷処理に応じた課金処理を行うことを特徴とする画像形成装置。
【請求項３】
前記特定色を黒色とすることを特徴とする請求項１または２に記載の画像形成装置。
【請求項４】
前記特定色を複数とすることを特徴とする請求項１または２に記載の画像形成装置。
【請求項５】
前記条件は、前記インク吐出手段が吐出する全ての色に係るインクの総量が所定範囲の量の範囲内にあることを特徴とする請求項１または２に記載の画像形成装置。
【請求項６】
所定の操作を受け付ける操作手段を有し、
前記操作手段が受け付ける操作により、前記所定範囲を複数設けたことを特徴とする請求項１または２に記載の画像形成装置。
【請求項７】
所定の操作を受け付ける操作手段を有し、
前記操作手段が受け付ける操作により、前記所定範囲を変更することを特徴とする請求項１または２に記載の画像形成装置。
【請求項８】
コンピュータに、
複数種類のインクを吐出するインク吐出手段と、
印刷処理に関する特定値を計測する計測手段と、
前記インク吐出手段が吐出するインクの量に基づいて、所定の条件を満たした場合にカウント値を算出するカウンタと、
前記カウント値より課金処理を行う課金処理手段として機能させる画像形成装置のプログラムにおいて、
前記インク吐出手段が吐出するインクのうち特定したインクの色である特定色があって、
前記条件は、印刷処理において使用される前記特定色以外の色に係るインクの各々の量が所定範囲の量の範囲内にあることであり、
前記課金処理手段が前記特定色による印刷処理に応じた課金処理を行うように機能させることを特徴とするプログラム。
【請求項９】
コンピュータに、
複数種類のインクを吐出するインク吐出手段と、
印刷処理に関する特定値を計測する計測手段と、
前記インク吐出手段が吐出するインクの量に基づいて、所定の条件を満たした場合にカウント値を算出するカウンタと、
前記カウント値より課金処理を行う課金処理手段とを備えた画像形成装置において、
前記インク吐出手段が吐出するインクのうち特定したインクの色である特定色があって、
前記条件は、印刷処理において使用される前記特定色以外の色に係るインクの総量が所定範囲の量の範囲内にあることであり、
前記課金処理手段が前記特定色による印刷処理に応じた課金処理を行うように機能させることを特徴とするプログラム。
【請求項１０】
請求項８または９のプログラムを記録した記録媒体。
【手続補正２】
【補正対象書類名】明細書
【補正対象項目名】０００９
【補正方法】変更
【補正の内容】
【０００９】
上記課題を解決するための本発明の態様は、複数種類のインクを吐出するインク吐出手段と、印刷処理に関する特定値を計測する計測手段と、前記インク吐出手段が吐出するインクの量に基づいて、所定の条件を満たした場合にカウント値を算出するカウンタと、前記カウント値より課金処理を行う課金処理手段とを有する画像形成装置において、前記インク吐出手段が吐出するインクのうち特定したインクの色である特定色があって、前記条件は、印刷処理において使用される前記特定色以外の色に係るインクの各々の量が所定範囲の量の範囲内にあることであり、前記課金処理手段は前記特定色による印刷処理に応じた課金処理を行うものである。
【手続補正３】
【補正対象書類名】明細書
【補正対象項目名】００１０
【補正方法】変更
【補正の内容】
【００１０】
また、本発明の他の態様は、複数種類のインクを吐出するインク吐出手段と、印刷処理に関する特定値を計測する計測手段と、前記インク吐出手段が吐出するインクの量に基づいて、所定の条件を満たした場合にカウント値を算出するカウンタと、前記カウント値より課金処理を行う課金処理手段とを備えた画像形成装置において、前記インク吐出手段が吐出するインクのうち特定したインクの色である特定色があって、前記条件は、印刷処理において使用される前記特定色以外の色に係るインクの総量が所定範囲の量の範囲内にあることであり、前記課金処理手段は前記特定色による印刷処理に応じた課金処理を行うものである。
【手続補正４】
【補正対象書類名】明細書
【補正対象項目名】００１１
【補正方法】変更
【補正の内容】
【００１１】
このとき、前記特定色を黒色とすると良い。また、前記特定色を複数とすると良い。
【手続補正５】
【補正対象書類名】明細書
【補正対象項目名】００１３
【補正方法】変更
【補正の内容】
【００１３】
ここで、さらに所定の操作を受け付ける操作手段を有し、前記操作手段が受け付ける操作により、前記所定範囲を複数設けると良い。また、所定の操作を受け付ける操作手段を有し、前記操作手段が受け付ける操作により、前記所定範囲を変更するとよい。
【手続補正６】
【補正対象書類名】明細書
【補正対象項目名】００１４
【補正方法】変更
【補正の内容】
【００１４】
本発明の他の態様は、コンピュータに、複数種類のインクを吐出するインク吐出手段と、印刷処理に関する特定値を計測する計測手段と、前記インク吐出手段が吐出するインクの量に基づいて、所定の条件を満たした場合にカウント値を算出するカウンタと、前記カウント値より課金処理を行う課金処理手段として機能させる画像形成装置のプログラムにおいて、前記インク吐出手段が吐出するインクのうち特定したインクの色である特定色があって、前記条件は、印刷処理において使用される前記特定色以外の色に係るインクの各々の量が所定範囲の量の範囲内にあることであり、前記課金処理手段が前記特定色による印刷処理に応じた課金処理を行うように機能させるものである。
また、本発明の他の態様は、コンピュータに、複数種類のインクを吐出するインク吐出手段と、印刷処理に関する特定値を計測する計測手段と、前記インク吐出手段が吐出するインクの量に基づいて、所定の条件を満たした場合にカウント値を算出するカウンタと、前記カウント値より課金処理を行う課金処理手段とを備えた画像形成装置において、前記インク吐出手段が吐出するインクのうち特定したインクの色である特定色があって、前記条件は、印刷処理において使用される前記特定色以外の色に係るインクの総量が所定範囲の量の範囲内にあることであり、前記課金処理手段が前記特定色による印刷処理に応じた課金処理を行うように機能させるものである。